(57)【要約】【課題】  外部電源を確保できない屋外環境においてもバッテリの温度を動作温度帯内におさえ、バッテリが有する本来の能力を発揮することで安定的に使用可能であり、かつ、設置及び保守に係る作業が容易な独立電源型カメラを提供する。【解決手段】  外部から電力を供給することなく撮影可能な独立電源型カメラ１であって、バッテリ６と、バッテリ６から電力が供給されるカメラモジュール５と、バッテリ６及びカメラモジュール５を内部に収める筐体２１と、を有し、バッテリ６及びカメラモジュール５は筐体２１の板面から離間して設置され、筐体２１内部は、カメラモジュール５から発生する熱を利用して筐体２１の内部が所定の温度帯内で維持される。【選択図】図５
2020134568.tif 000002
【特許請求の範囲】
【請求項１】
外部から電力を供給することなく撮影可能な独立電源型カメラであって、
バッテリと、
当該バッテリから電力が供給されるカメラモジュールと、
前記バッテリ及び前記カメラモジュールを内部に収める筐体と、を有し、
前記バッテリ及び前記カメラモジュールは前記筐体の板面から離間して設置され、
前記筐体内部は、前記カメラモジュールから発生する熱を利用して前記筐体内部が所定の温度帯内で維持されることを特徴とする独立電源型カメラ。
【請求項２】
前記バッテリに電力を供給可能な太陽電池モジュールが前記筐体に固定されたことを特徴とする請求項１に記載の独立電源型カメラ。
【請求項３】
前記太陽電池モジュールは前記筐体の上部から離間して固定されていることを特徴とする請求項２に記載の独立電源型カメラ。
【請求項４】
前記バッテリ及び前記カメラモジュールは、前記筐体の板面の内部に設けられた支持部、又は、前記筐体の底面内側部分に配された断熱部材を介して設置されて、前記筐体の板面から離間することを特徴とする請求項１に記載の独立電源型カメラ。
【請求項５】
前記筐体は、互いに離間して配される外側筐体とその内部に配される内側筐体からなり、
当該内側筐体は、内部に前記バッテリ及び前記カメラモジュールが設置され、
前記カメラモジュールから発生する熱を利用して前記内側筐体内部が所定の温度帯内で維持されることを特徴とする請求項１に記載の独立電源型カメラ。
【請求項６】
前記バッテリ及び前記カメラモジュールは、前記内側筐体の板面から離間して設置されることを特徴とする請求項５に記載の独立電源型カメラ。
【請求項７】
前記筐体は一部が透明体で構成されて、当該筐体の内部に設置された前記カメラモジュールのレンズ部が前記透明体を介して外部を撮影可能であり、
前記バッテリに電力を供給可能な太陽電池モジュールが前記筐体の上部に当該筐体を覆うように配されたことを特徴とする請求項１乃至請求項６のうち、いずれか１に記載の独立電源型カメラ。
【請求項８】
前記太陽電池モジュールは、前記筐体の上部に配される第１の太陽電池モジュール部と、
前記レンズ部の撮影方向に略平行に配された前記第１の太陽電池モジュール部の両辺各々から、さらに側方、かつ、下方に延伸した第２の太陽電池モジュール部及び第３の太陽電池モジュール部からなることを特徴とする請求項７に記載の独立電源型カメラ。
【請求項９】
前記筐体は上部が蓋部となって開閉可能であり、当該蓋部の上部には前記太陽電池モジュールが固定されており、
前記蓋部は前記透明体の上方に配された蝶番部により筐体基部に開閉自在に固定されていることを特徴とする請求項７又は請求項８に記載の独立電源型カメラ。
【請求項１０】
前記蓋部と前記筐体基部の間には開閉規制部が介されていることを特徴とする請求項９に記載の独立電源型カメラ。
【請求項１１】
前記カメラモジュールのレンズ部は、前記独立電源型カメラの設置方向を変更することなしに、撮影方向を調整可能であることを特徴とする請求項１乃至請求項１０のうち、いずれか１に記載の独立電源型カメラ。
【発明の詳細な説明】
【技術分野】
【０００１】
本発明は、外部電源を確保できない屋外環境においてもバッテリの温度を動作温度帯内におさえ、バッテリが有する本来の能力を発揮することで安定的に使用可能であり、かつ、設置及び保守に係る作業が容易な独立電源型カメラに関する。
【背景技術】
【０００２】
近年、遠隔地の監視のため、監視カメラが種々の場所に設置されている。都市部における防犯対策のみならず、災害対策のための火山等の自然環境の監視や、例えばスキー場といった自然環境を利用したレジャー施設の監視等が行われている。
【０００３】
このような自然環境の監視においては、外部からの電源供給が望めず、独立電源型カメラとして、太陽電池モジュールからバッテリに電力を供給して蓄電し、バッテリからカメラモジュールや通信機器等に電力を供給することにより、遠隔監視を行っている。
【０００４】
図８は、従来の独立電源型カメラを示した斜視図である。図８に示すように、従来の独立電源型カメラ１０１は、例えば、支柱１０７に対して独立電源型カメラ１０１の構成要素が設置される。
【０００５】
即ち、独立電源型カメラ１０１は、撮影を行うカメラモジュール１０５と、カメラモジュール１０５に電力を供給するバッテリを内蔵した本体部１０６と、バッテリに電力を供給する太陽電池モジュール１０３とを備えており、これらは支柱１０７に対して固定される。
【０００６】
また、バッテリを内蔵した本体部１０６は、他に通信機器等を備えて、撮影した映像を送信可能となっている。バッテリを内蔵した本体部１０６は、通信機能を備えず撮影した映像データを記録媒体に保存する構成を備える場合や、これらを併用する構成を備えたものも勿論存在する。
【０００７】
例えば、特許文献１乃至特許文献４においても、屋外等で使用する独立電源型カメラについて、カメラモジュールと、バッテリと、太陽電池モジュールとが支柱等を介して各々別体として設置されている構成が開示されている。
【先行技術文献】
【特許文献】
【０００８】
【特許文献１】特開２０１３−６２６９６
【特許文献２】特開２００８−９８８５４
【特許文献２】特開２００３−２１９４０８
【特許文献２】特開２０１５−６４８００
【発明の概要】
【発明が解決しようとする課題】
【０００９】
この場合、従来の独立電源型カメラでは、カメラモジュール、バッテリを内蔵した本体部及び太陽電池モジュールを個々に支柱に現地で設置していく必要があり、カメラモジュール、バッテリ、太陽電池モジュールの各々個別の配置や向きの調整を行うため、設置作業に人手と時間がかかるため非常に大変であった。
【００１０】
即ち、図８を用いて説明すると、従来の独立電源型カメラ１０１では、支柱１０７に対してカメラモジュール１０５、太陽電池モジュール１０３及びバッテリを内蔵した本体部１０６を現地で個々に順次設置していく必要があり、各々個別の配置や向きの調整を行うため、設置作業に人手と時間がかかるため非常に大変であった。
【００１１】
また、独立電源型カメラは、屋外で使用されることから、当然に酷寒の状況や灼熱の状況においても使用される。そのため、寒冷地や熱帯地等の温度環境においても、カメラモジュールやバッテリの適切な駆動を維持するための温度対策が求められている。
【００１２】
また、独立電源型カメラは、外部電源にたよることができない環境で使用されることから、カメラモジュールの駆動可能時間を可能な限り延ばす必要があり、長時間の駆動に耐えうるように、バッテリは小型で容量が大きく、太陽電池モジュールからの継ぎ足し充電に適したリチウムイオン２次電池が用いられることが多い。
【００１３】
この場合、リチウムイオン２次電池の動作温度帯は、通常―２０℃乃至６０℃程度となっており、例えば、スキー場のような酷寒の地における監視や、真夏の晴天時における海岸線の監視においては、バッテリの温度が動作温度帯内におさまらず、バッテリの能力を発揮できずに、独立電源型カメラによる遠隔監視が行えないおそれがある。
【００１４】
そこで本発明は、外部電源を確保できない屋外環境においてもバッテリの温度を動作温度帯内におさえ、バッテリが有する本来の能力を発揮することで安定的に使用可能であり、かつ、設置及び保守に係る作業が容易な独立電源型カメラを提供することを目的とする。
【課題を解決するための手段】
【００１５】
上記目的達成のため、本発明の独立電源型カメラは、外部から電力を供給することなく撮影可能な独立電源型カメラであって、バッテリと、当該バッテリから電力が供給されるカメラモジュールと、前記バッテリ及び前記カメラモジュールを内部に収める筐体と、を有し、前記バッテリ及び前記カメラモジュールは前記筐体の板面から離間して設置され、前記筐体内部は、前記カメラモジュールから発生する熱を利用して前記筐体内部が所定の温度帯内で維持されることを特徴とする。
【００１６】
また、本発明の独立電源型カメラは、前記バッテリに電力を供給可能な太陽電池モジュールが前記筐体に固定されたことを特徴とする。
【００１７】
また、本発明の独立電源型カメラの前記太陽電池モジュールは前記筐体の上部から離間して固定されていることを特徴とする。
【００１８】
また、本発明の独立電源型カメラの前記バッテリ及び前記カメラモジュールは、前記筐体の板面の内部に設けられた支持部、又は、前記筐体の底面内側部分に配された断熱部材を介して設置されて、前記筐体の板面から離間することを特徴とする。
【００１９】
また、本発明の独立電源型カメラの前記筐体は、互いに離間して配される外側筐体とその内部に配される内側筐体からなり、当該内側筐体は、内部に前記バッテリ及び前記カメラモジュールが設置され、前記カメラモジュールから発生する熱を利用して前記内側筐体内部が所定の温度帯内で維持されることを特徴とする。
【００２０】
また、本発明の独立電源型カメラの前記バッテリ及び前記カメラモジュールは、前記内側筐体の板面から離間して設置されることを特徴とする。
【００２１】
また、本発明の独立電源型カメラの前記筐体は一部が透明体で構成されて、当該筐体の内部に設置された前記カメラモジュールのレンズ部が前記透明体を介して外部を撮影可能であり、前記バッテリに電力を供給可能な太陽電池モジュールが前記筐体の上部に当該筐体を覆うように配されたことを特徴とする。
【００２２】
また、本発明の独立電源型カメラの前記太陽電池モジュールは、前記筐体の上部に配される第１の太陽電池モジュール部と、前記レンズ部の撮影方向に略平行に配された前記第１の太陽電池モジュール部の両辺各々から、さらに側方、かつ、下方に延伸した第２の太陽電池モジュール部及び第３の太陽電池モジュール部からなることを特徴とする。
【００２３】
また、本発明の独立電源型カメラの前記筐体は上部が蓋部となって開閉可能であり、当該蓋部の上部には前記太陽電池モジュールが固定されており、前記蓋部は前記透明体の上方に配された蝶番部により筐体基部に開閉自在に固定されていることを特徴とする。
【００２４】
また、本発明の独立電源型カメラは、前記蓋部と前記筐体基部の間には開閉規制部が介されていることを特徴とする。
【００２５】
また、本発明の独立電源型カメラにおける前記カメラモジュールのレンズ部は、前記独立電源型カメラの設置方向を変更することなしに、撮影方向を調整可能であることを特徴とする。
【発明の効果】
【００２６】
本発明の独立電源型カメラによれば、外部電源を確保できない屋外環境においても筐体内部をバッテリにとって適切な動作温度帯に維持し、バッテリが有する本来の能力を発揮することで安定的に使用可能であり、かつ、設置及び保守に係る作業が容易である。
【００２７】
即ち、本発明によれば、独立電源型カメラのバッテリ及びカメラモジュールが筐体の板面から離間して設置されて、外気からの断熱効果を有する空気層が形成されるため、筐体内部が、カメラモジュールから発生する熱を利用して所定の温度帯内で維持されるため、酷寒の状況や灼熱の状況においてもバッテリの性能が低下することなく、長時間の独立電源型カメラの駆動を実現することが可能である。
【００２８】
また、本発明によれば、バッテリ及びカメラモジュールは、筐体の板面の内部に設けられた支持部、又は、筐体の底面内側部分に配された断熱部材を介して設置されて、筐体の板面から離間するため、外気からの断熱効果を有する空気層が形成されるため、筐体内部が、カメラモジュールから発生する熱を利用して所定の温度帯内で維持される。
【００２９】
また、本発明によれば、筐体は、互いに離間して配される外側筐体とその内部に配される内側筐体からなり、内側筐体は、内部にバッテリ及びカメラモジュールが設置され、外側筐体と内側筐体との間に外気からの断熱効果を有する空気層が形成されるため、カメラモジュールから発生する熱を利用して内側筐体内部が所定の温度帯内で維持される。
【００３０】
さらに、本発明によれば、バッテリ及びカメラモジュールは、内側筐体の板面から離間して設置されるため、カメラモジュールから発生する熱を利用して、より一層、内側筐体内部が所定の温度帯内で維持される。
【００３１】
また、本発明によれば、バッテリとカメラモジュールは筐体内に収められ、かつ、この筐体に、電力を供給可能な太陽電池モジュールが固定されているため、独立電源型カメラの設置にあたっては、個々の構成要素が一体化された１つの独立型電源カメラを架台等の支持具に設置するのみでよく、設置作業が非常に容易である。
【００３２】
また、本発明によれば、バッテリに電力を供給可能な太陽電池モジュールが筐体の上部に筐体を覆うように配されているため、太陽電池モジュールがカメラモジュール及びバッテリを格納する筐体の覆いとなるため、太陽光による熱が太陽電池モジュールによって遮断されて、筐体が太陽光により熱される事態が防止されて、筐体内部のバッテリ及びカメラモジュールの駆動が担保される。
【００３３】
また、本発明によれば、太陽電池モジュールが、筐体の上部に配される第１の太陽電池モジュール部と、レンズ部の撮影方向に略平行する方向に配された第１の太陽電池モジュール部の両辺各々から、さらに側方、かつ、下方に延伸した第２の太陽電池モジュール部と第３の太陽電池モジュール部からなるため、筐体構造に沿った太陽電池モジュールの形態により、強風や大雨の環境下においても、太陽電池モジュールが破損するような事態を防止可能であり、種々の環境下でも独立電源型カメラの使用が可能である。
【００３４】
また、本発明によれば、筐体は上部が蓋部となって開閉可能であり、蓋部の上部には太陽電池モジュールが固定されており、蓋部は透明体の上方に配された蝶番部により筐体基部に開閉自在に固定されているため、例えば、カメラモジュールのレンズ部の撮影方向の調整等の保守時においても、蓋部が落下してしまう恐れがなく、太陽電池モジュールとバッテリの間の給電のためのケーブルの断線も防止される。また、蓋部は筐体の前方方向、即ち、独立電源型カメラの撮影方向側に開くため、蓋部が支柱等の設置物等に接触することもなく、作業しやすい空間を確保してメンテナンスを行うことが可能となる。
【００３５】
また、本発明によれば、蓋部と筐体基部の間には開閉規制部が介されていることにより、開蓋時においても、誤って蓋部が閉じてしまうようなことがなく、作業者の手が挟まれるといった事故が防止される。
【００３６】
また、本発明によれば、太陽電池モジュールと筐体が離間して設置されているため、晴天時の灼熱の環境下において、太陽電モジュールが非常に高温となった場合であっても、その熱が直接に筐体へ伝わるものではなく、筐体内部の温度上昇を防止し、バッテリやカメラモジュールに影響を与えることがなく、バッテリ及びカメラモジュールの駆動が担保される。
【００３７】
また、本発明によれば、カメラモジュールのレンズ部は、独立電源型カメラの設置方向を変更することなしに撮影方向を調整可能なため、太陽電池モジュールが太陽光発電に対して、より適した方向となるように独立電源型カメラを設置した場合でも、撮影を希望する撮影対象の方向にレンズ部を向けることができる。
【００３８】
また、本発明によれば、筐体内部に外気からの断熱効果を有する空気層が形成され、カメラモジュールから発生する熱を利用して筐体内部が所定の温度帯内で維持されるため、筐体を完全に密閉することが可能となり、防水や防塵などの機能を有することができる。
【図面の簡単な説明】
【００３９】
【図１】本発明の第１の実施形態に係る独立電源型カメラを架台に設置した状態の斜視図である。
【図２】図１の側面図である。
【図３】図１の独立電源型カメラ部分の正面図である。
【図４】本発明の第１の実施形態に係る独立電源型カメラの開閉構造を示す蓋部を開けた状態の斜視図である。
【図５】図４にカメラモジュール及びバッテリを搭載した状態の斜視図である。
【図６】本発明の第１の実施形態に係る独立電源型カメラの筐体内部の構造を示す模式図であって、（ａ）は側面方向からの模式図、（ｂ）は平面方向からの模式図である。
【図７】本発明の第２の実施形態に係る独立電源型カメラの筐体内部の構造を示す模式図であって、（ａ）は側面方向からの模式図、（ｂ）は平面方向からの模式図である。
【図８】従来の独立電源型カメラを示した斜視図である。
【発明を実施するための形態】
【００４０】
以下、図面を参照して、本発明による独立電源型カメラを実施するための形態について説明する。
【００４１】
尚、本発明の独立電源型カメラは、カメラモジュールとバッテリを内蔵する筐体に対して太陽電池モジュールを固定し、筐体内においては、バッテリ及びカメラモジュールを筐体の板面から離間して設置することにより、筐体内部がカメラモジュールから発生する熱を利用して所定の温度帯内で維持されるようにして、酷寒の状況や灼熱の状況においてもバッテリの性能が低下することなく、長時間の独立電源型カメラの駆動を実現するため、外部電源を確保できない屋外環境においても使用可能であり、かつ、設置及び保守に係る作業を容易とするものである。
【００４２】
［本発明の第１の実施形態］
まず、本発明の第１の実施形態に係る独立電源型カメラを図１乃至図６を用いて説明する。
【００４３】
［独立電源型カメラの構成概要］
図１乃至図３を用いて独立電源型カメラの構成の概要について説明する。図１は、本発明の第１の実施形態に係る独立電源型カメラを架台に設置した状態の斜視図であり、図２は、図１の側面図であり、図３は、図１の独立電源型カメラ部分の正面図である。
【００４４】
図１乃至図３に示すように、本発明の独立電源型カメラ１は、カメラモジュールやバッテリを内部に格納可能な本体部２と、本体部２の上方に固定された太陽電池モジュール３とから大きく構成されている。
【００４５】
図２及び図３に示すように本体部２は、直方体状に構成されており、本体部２の上方にスペーサ３８を介して太陽電池モジュール３が固定されており、図３に示すように、本体部２の正面２８には、透明パネルから構成される透明体２８ｂが配されて、本体部２の内部からカメラモジュール５による撮影が可能となっている。
【００４６】
尚、本体部２は外形が直方体状に構成されているものの、円筒状等の他の形態であっても良い。
【００４７】
太陽電池モジュール３は、本体部２の上方において本体部２の形状に沿うように配された第１の太陽電池モジュール３１と、カメラモジュール５のレンズ部１２（図３）の撮影方向に略平行に配された第１の太陽電池モジュール部３１の両辺各々から、さらに側方、かつ、下方に延伸した第２の太陽電池モジュール部３２及び第３の太陽電池モジュール部３３から構成されている。
【００４８】
この太陽電池モジュール３が、第１の太陽電池モジュール部３１、第２の太陽電池モジュール部３２及び第３の太陽電池モジュール部３３によって構成されて、太陽電池モジュール３が本体部２を覆うように配されている。
【００４９】
尚、本実施の形態では、太陽電池モジュール３は、第１の太陽電池モジュール部３１、第２の太陽電池モジュール部３２及び第３の太陽電池モジュール部３３の３つの太陽電池モジュールから構成されているが、これは別体の３つの太陽電池モジュールによって構成される場合でも、１つの太陽電池モジュールを折り曲げて使用する場合の何れでもよい。
【００５０】
また、太陽電池モジュール３を一枚の太陽電池モジュールで構成して、かまぼこ屋根のような形状として円弧状に構成して本体部２を覆うような構成も想定され、本体部２と太陽電池モジュール３とが互いに固定されていればどのような形状でもよい。
【００５１】
また、図１及び図２に示すように、本体部２の底面２５には、支柱等（不図示）に設置するための架台９が接続されている。
【００５２】
［独立電源型カメラの開閉構造］
次に、独立電源型カメラ１の開閉構造について、図３に図４を加えて説明する。図４は、本発明の第１の実施形態に係る独立電源型カメラの開閉構造を示す蓋部を開けた状態の斜視図である。尚、図４においては、独立電源型カメラ１の筐体２１の開閉構造の理解を促進するべく、カメラモジュール及びバッテリといった内部機構をまずは省略して図示し、後に説明する図５において、それら内部機構を搭載した状態を説明する。
【００５３】
図４に示すように、独立電源型カメラ１は、図１乃至図３において説明した本体部２について、筐体２１が蓋部２２と筐体基部２３によって構成されて、筐体基部２３から蓋部２２を開閉可能な構造となっている。
【００５４】
筐体基部２３と蓋部２２は、互いに相補的な形状で構成され、筐体基部２３はカメラモジュール５及びバッテリ６（図５）を格納するべく、箱型形状を成している。筐体基部２３と蓋部２２は、互いに相補的な形状で構成されて、互いの合わせ目部分に、樹脂等のシール部材を配することにより密閉性を高め、防水や防塵等の機能を高めることも可能である。
【００５５】
筐体２１の正面２８の上部に配された突設部２８ａを介して蓋部２２を開閉可能に接続され、蝶番部３５を構成している。蝶番部３５により、蓋部２２は、独立電源型カメラ１の撮影方向に対して開くこととなり、撮影方向は通常、何らの障害物も存在しないことから、蓋部２２が支柱等の設置物等に接触することもなく、問題なく蓋部２２を開けることが可能となり、メンテナンスやカメラモジュール５（図３及び図５）のレンズ部１２の撮影方向の変更を容易に行うことが可能となる。
【００５６】
また、前述したように筐体２１の正面２８には、透明パネルから構成される透明体２８ｂが配されて、筐体２１内部に配されるカメラモジュール５（図５）により透明体２８ｂを介して外部を撮影可能となっている。
【００５７】
この透明体２８ｂは、筐体２１の内部からカメラモジュール５によって撮影可能であれば、筐体２１の外部に対して凸形状となるドーム型とする等、種々の形状を採用することが可能である。また、透明体２８ｂは内側からの撮影に支障がなければ有色でもよい。特に、監視カメラとして使用する場合は、レンズ部１２の撮影方向が外部から把握できないことが望ましい。
【００５８】
また、蓋部２２において、筐体２１の上面２６を構成する位置には、上面２６を貫通して太陽電池モジュール３において発電した電力をバッテリ６に供給するためのケーブル３６が配されている。蓋部２２が、筐体基部２３に蝶番部３５を介して開閉自在に固定されているため、蓋部２２が落下等する可能性がなく、ケーブル３６が断線してしまう事態が防止され、バッテリ６に電力を安定的に供給することを可能としている。
【００５９】
また、筐体基部２３の背面２９には、蓋部２２の開閉について鍵をかけることが可能なロック機構２９ａが配されており、蓋部２２の孔部２２ａに嵌合して、蓋部２２の開閉を鍵によって規制することが可能となっている。
【００６０】
また、蓋部２２と筐体基部２３との間には、蓋部２２の開閉を規制する開閉規制部３７が配されている。開閉規制部３７は、図４に示すように、例えばダンパーが用いられ、これにより、蓋部２２を開けての保守作業中に、蓋部２２が不意にしまってしまうような事態が防止され、作業者が手を挟むような事態が防止される。
【００６１】
図４においてダンパーにより構成される開閉規制部３７は、一端側が蓋部２２の正面側と背面側の中腹に軸支され、他端が、筐体２１の正面２８の上部内側に軸支されている。
【００６２】
開閉規制部３７は、例えば、ダンパー等のトルクステー、ステー、ストップステーのように蓋部２２を一定の角度で保持して急激に閉まらないようにすることが出来ればどのような構造でも使用可能である。
【００６３】
［本体部の内部構造］
次に、本体部２の内部構造について、図３に図５及び図６加えて説明する。図５は、図４にカメラモジュール及びバッテリを搭載した状態の斜視図であり、図６は、本発明の第１の実施形態に係る独立電源型カメラの筐体内部の構造を示す模式図であって、（ａ）は側面方向からの模式図、（ｂ）は平面方向からの模式図である。尚、図６において、点線で構成された矢印は、透明体２８ｂを介してカメラモジュール５が外部を撮影可能であることを示している。
【００６４】
図５に示すように、筐体基部２３の内部には、カメラモジュール５及びバッテリ６が配されて、筐体２１内にカメラモジュール５及びバッテリ６が格納されるようになっている。蓋部２２が開閉することにより、作業者はカメラモジュール５及びバッテリ６へのアクセスが可能となり、メンテナンス及びカメラモジュール５のレンズ部（図３及び図６）の撮影方向の調整が可能となる。
【００６５】
図５に示すように、カメラモジュール５は、バッテリ６と接続されて、撮影用の電力の供給を受けている。また、バッテリ６はケーブル３６が接続されて、太陽電池モジュール３が発電した電力の供給を受けて蓄電が可能なっている。
【００６６】
また、カメラモジュール５は内部に通信回路をも備えており、外部からの撮影等に関する指令を受信可能であるとともに、撮影した映像を外部に送信可能となっている。
【００６７】
この場合、例えば、通信のアンテナは、透明体２８ｂに張り付けられたフィルムアンテナ２８ｃ（図３及び図５）とすることが可能である。筐体２１を電波遮断してしまいやすいアルミ等で構成した場合は、筐体２１内にアンテナを配するよりも、透明体２８ｂにフィルムアンテナ２８ｃ等を貼り付けることにより、良好な通信状態を確保するものである。
【００６８】
尚、図５では、カメラモジュール５が通信回路を備える構成を示したが、通信回路は別体として筐体２１内に配される構成とすることも可能である。また、通信機能を備えず撮影した映像データを記録媒体に保存する構成を備える場合や、これらを併用する構成とすることも可能である。
【００６９】
また、バッテリ６は、図５においては、蓄電用及び放電用の充放電回路を内部に備えているが、別体の構成とすることも可能である。
【００７０】
図５に示すように、例えば、カメラモジュール５は、筐体２１の正面２８に配された透明体２８ｂの内部側に配されている。また、バッテリ６は透明体２８ｂとカメラモジュール５を結んで直線状の位置に配されている。筐体２１の形状は、この透明体２８ｂ、カメラモジュール５及びバッテリ６の直線状の配置関係に沿った長手状に構成されており、このように筐体２１が、透明体２８ｂ、カメラモジュール５及びバッテリ６の直線状の配置方向に沿った方向を長手方向とする形状に構成され、かつ、この長手方向に沿って筐体２１を覆うように太陽電池モジュール３が配されることから、強風や大雨の環境下においても、太陽電池モジュールが破損するような事態を防止可能であり、種々の環境下でも独立電源型カメラの使用が可能である。
【００７１】
さらに、太陽電池モジュール３が、筐体２１の上部に配される第１の太陽電池モジュール部３１と、レンズ部１２の撮影方向に略平行する方向に配された第１の太陽電池モジュール部３１の両辺各々から、さらに側方、かつ、下方に延伸した第２の太陽電池モジュール部３２と第３の太陽電池モジュール部３３からなるため、筐体２１構造に沿った太陽電池モジュール３の形態により、強風や大雨の環境下においても、より一層、太陽電池モジュールが破損するような事態を防止可能となる。
【００７２】
この場合、この強風や大雨の環境下においても使用可能なように、筐体２１の長手方向に沿って筐体２１を覆うように太陽電池モジュール３が配されるものの、蓋部２２は、蝶番部３５により、独立電源型カメラ１の撮影方向に対して開くこととなり、撮影方向は通常、何らの障害物も存在しないことから、蓋部が支柱等の設置物等に接触することもなく、問題なく蓋部を開けることが可能となり、メンテナンスやカメラモジュール５のレンズ部１２の撮影方向の変更を容易に行うことが可能となる。
【００７３】
尚、図５及び図６においては、バッテリ６は透明体２８ｂとカメラモジュール５を結んで直線状の位置に配されている構成について説明したが、これに限られるものではなく、透明体２８ｂの背後にカメラモジュール５を配置し、その側方にバッテリ６を配するようなＬ字型の構成も採用可能である点は言うまでもない。
【００７４】
図６に示すように、バッテリ６及びカメラモジュール５は筐体２１の板面から離間して設置されている。これにより、外気からの断熱効果を有する空気層Ａが形成されるため、筐体２１の内部が、カメラモジュール５から発生する熱を利用して所定の温度帯内で維持される。
【００７５】
即ち、バッテリ６は、筐体２１の板面から離間して配置するべく、例えば、底面２５に配された支柱や小片からなる支持部１６を介して配される。支持部１６は、筐体２１の板面からバッテリ６を離間させるものであれば、どのような構成でもよいが、筐体２１の板面からバッテリ６を離間させる断熱部材として作用するものであるため、筐体２１の外部の外気の熱を取り込みにくい、断熱効果の高いものが好適である。
【００７６】
また、支持部１６は例えば、シート状の断熱素材を筐体２１の内側に張り付けることより、この断熱素材を介してバッテリ６を筐体２１内に配することにより、筐体２１の板面からバッテリ６を離間させてもよい。
【００７７】
また、支持部１６は、図６（ａ）に示すように底面２５に配される場合の他、例えば、図４の対向する側面２７の間に棚板を橋架して、棚板にバッテリ６を載置する等、筐体２１の板面からバッテリ６を離間させる構成であれば、どのようなものでも良い。
【００７８】
図３及び図６に示すように、カメラモジュール５は、角度調整機構１３により角度を調整可能に支持されている（支持部）。角度調整機構１３は、直交する固定可能な２つの軸部により構成されており、図６の実線の２つの矢印で示すように所望の角度にカメラモジュール５を調整可能である。角度調整機構１３によってカメラモジュール５の角度を調整することより、カメラモジュール５のレンズ部１２の撮影方向を変更可能となっている。
【００７９】
本発明の独立電源型カメラ１は、太陽電池モジュール３と本体部２が一体の構成となっているため、カメラモジュール５の角度調整により、レンズ部１２の撮影方向を変更可能とすることにより、太陽電池モジュール３による太陽光発電に対してより適した方向に太陽電池モジュール３を向けるとともに、撮影を希望する撮影対象の方向にレンズ部１２を向けることが可能となるものである。
【００８０】
角度調整機構１３は、カメラモジュール５が筐体２１の板面から離間させる作用をも奏するものであり、筐体２１の板面からカメラモジュール５を離間させて空気層Ａを形成する断熱部材として作用するものであるため、筐体２１の外部の外気の熱を取り込みにくい、断熱効果の高い素材により構成されるものが好適である。
【００８１】
また、角度調整機構１３は、図６（ａ）に示すように、底面２５に配される場合の他、例えば、図４の対向する側面２７の間に橋架されてカメラモジュール５の角度調整を可能とする等、筐体２１の板面からカメラモジュール５を離間させる構成であれば、どのようなものでも良い。
【００８２】
この場合、カメラモジュール５は駆動（撮影）にあたり、電力の消費に伴い熱を発することが知られている。そのため、本発明の独立電源型カメラ１は、このカメラモジュール５の熱を逆に利用して、筐体２１の内部にバッテリ６の最適な動作温度帯を作り出すものである。
【００８３】
即ち、バッテリ６及びカメラモジュール５は筐体２１の板面から離間して設置されており、これにより、外気からの断熱効果を有する空気層Ａが形成される。そして、筐体２１の内部が、カメラモジュール５から発生する熱により対流が生じ、バッテリ６の周辺の空気と混合していくことにより、バッテリ６の動作温度帯が維持される。
【００８４】
尚、カメラモジュール５は、図３、図５及び図６では模式的に円筒状に描いているが、カメラモジュール５から生じる熱をより効率的に利用するべく、カメラモジュール５のレンズ機構及び回路基板等がむき出しの構成として、空気層Ａに対してより発散しやすい構成とすることも可能であることは言うまでもない。
【００８５】
このように、バッテリ６及びカメラモジュール５は筐体２１の板面から離間して設置されており、これにより、外気からの断熱効果を有する空気層Ａが形成されるため、筐体２１の内部が、カメラモジュール５から発生する熱を利用して所定の温度帯内で維持される。そのため、酷寒の状況や灼熱の状況においてもバッテリの性能が低下することなく、長時間の独立電源型カメラ１の駆動を実現することが可能である。
【００８６】
以上、本発明の第１の実施形態に係る独立電源型カメラ１によれば、外部電源を確保できない屋外環境においても筐体内部をバッテリにとって適切な動作温度帯に維持し、バッテリが有する本来の能力を発揮することで安定的に使用可能であり、かつ、設置及び保守に係る作業が容易である。
【００８７】
即ち、本発明の第１の実施形態によれば、独立電源型カメラ１のバッテリ６及びカメラモジュール５が筐体２１の板面から離間して設置されて、外気からの断熱効果を有する空気層Ａが形成されるため、筐体２１内部が、カメラモジュール５から発生する熱を利用して所定の温度帯内で維持されるため、酷寒の状況や灼熱の状況においてもバッテリ６の性能が低下することなく、長時間の独立電源型カメラ１の駆動を実現することが可能である。
【００８８】
また、本発明の第１の実施形態によれば、バッテリ６及びカメラモジュール５は、筐体２１の板面の内部に設けられた支持部１３，１６、又は、筐体２１の底面２５内側部分に配された断熱部材１３，１６を介して設置されて、筐体２１の板面から離間するため、外気からの断熱効果を有する空気層Ａが形成されるため、筐体２１内部が、カメラモジュール５から発生する熱を利用して所定の温度帯内で維持される。
【００８９】
また、本発明の第１の実施形態によれば、バッテリ６とカメラモジュール５は筐体２１内に収められ、かつ、この筐体２１に、電力を供給可能な太陽電池モジュール３が固定されているため、独立電源型カメラ１の設置にあたっては、個々の構成要素が一体化された１つの独立型電源カメラ１を架台９等の支持具に設置するのみでよく、設置作業が非常に容易である。
【００９０】
また、本発明の第１の実施形態によれば、バッテリ６に電力を供給可能な太陽電池モジュール３が筐体２１の上部に筐体２１を覆うように配されているため、太陽電池モジュール３がカメラモジュール５及びバッテリ６を格納する筐体２１の覆いとなるため、太陽光による熱が太陽電池モジュール３によって遮断されて、筐体２１が太陽光により熱される事態が防止されて、筐体２１内部のバッテリ６及びカメラモジュール５の駆動が担保される。
【００９１】
また、本発明の第１の実施形態によれば、太陽電池モジュール３が、筐体２１の上部に配される第１の太陽電池モジュール部３１と、レンズ部１２の撮影方向に略平行する方向に配された第１の太陽電池モジュール部３１の両辺各々から、さらに側方、かつ、下方に延伸した第２の太陽電池モジュール部３２と第３の太陽電池モジュール部３３からなるため、筐体構造に沿った太陽電池モジュール３の形態により、強風や大雨の環境下においても、太陽電池モジュール３が破損するような事態を防止可能であり、種々の環境下でも独立電源型カメラ１の使用が可能である。
【００９２】
また、本発明の第１の実施形態によれば、筐体２１は上部が蓋部２２となって開閉可能であり、蓋部２２の上部には太陽電池モジュール３が固定されており、蓋部２２は透明体２８ｂの上方に配された蝶番部３５により筐体基部２３に開閉自在に固定されているため、例えば、カメラモジュール５のレンズ部１２の撮影方向の調整等の保守時においても、蓋部２２が落下してしまう恐れがなく、太陽電池モジュール３とバッテリ６の間の給電のためのケーブル３６の断線も防止される。また、蓋部２２は筐体２１の前方方向、即ち、独立電源型カメラ１の撮影方向側に開くため、蓋部２２が支柱等の設置物等に接触することもなく、作業しやすい空間を確保してメンテナンスを行うことが可能となる。
【００９３】
また、本発明の第１の実施形態によれば、蓋部２２と筐体基部２３の間には開閉規制部３７が介されていることにより、開蓋時においても、誤って蓋部２２が閉じてしまうようなことがなく、作業者の手が挟まれるといった事故が防止される。
【００９４】
また、本発明によれば、太陽電池モジュール３と筐体２１が離間して設置されているため、晴天時の灼熱の環境下において、太陽電モジュール３が非常に高温となった場合であっても、その熱が直接に筐体２１へ伝わるものではなく、筐体内部の温度上昇を防止し、バッテリ６やカメラモジュール５に影響を与えることがなく、バッテリ６及びカメラモジュール５の駆動が担保される。
【００９５】
また、本発明によれば、カメラモジュール５のレンズ部１２は、独立電源型カメラ１の設置方向を変更することなしに、撮影方向を調整可能なため、太陽電池モジュール３が太陽光発電に対して、より適した方向となるように独立電源型カメラを設置した場合でも、撮影を希望する撮影対象の方向にレンズ部１２を向けることができる。
【００９６】
また、本発明によれば、筐体２１内部に外気からの断熱効果を有する空気層Ａが形成され、カメラモジュール５から発生する熱を利用して筐体２１内部が所定の温度帯内で維持されるため、筐体２１を完全に密閉することが可能となり、防水や防塵などの機能を有することができる。
【００９７】
［本発明の第２の実施形態］
次に、本発明の第２の実施形態に係る独立電源型カメラを図７を用いて説明する。図７は、本発明の第２の実施形態に係る独立電源型カメラの筐体内部の構造を示す模式図であって、（ａ）は側面方向からの模式図、（ｂ）は平面方向からの模式図である。尚、図７において、点線で構成された矢印は、透明体７２ｃ及び透明体７３ｃを介してカメラモジュール５が外部を撮影可能であることを示している。
【００９８】
この第２の実施形態は、第１の実施形態の筐体が外側筐体と内側筐体とからなる２層構造にした点が、第１の実施形態と異なるのみであり、重複する箇所については、同じ符合を用い、説明を省略する。
【００９９】
図７に示すように、第２の実施形態においては、筐体７１の構造が内側筐体７２と外側筐体７３の２層構造となっている。図７の模式図では省略したが、筐体７１を覆うように太陽電池モジュール３が配される点は、第１の実施形態と同様である。
【０１００】
図７に示すように、外側筐体７３と内側筐体７２とは、例えば、外側筐体７３の底面７３ａの内側に配された支持部７３ｄにより内側筐体７２の底面７２ａの外側と固定され、互いに離間して設置されて空気層Ａ１を形成している。
【０１０１】
また、内側筐体７２の内部においては、第１の実施形態と同様に、支持部１６を介してバッテリ６が配されており、支持部としての角度調整機構１３を介してカメラモジュール５が配されている。即ち、バッテリ６及びカメラモジュール５は、内側筐体７２の板面から離間して設置されるため、空気層Ａ２がされに形成され、カメラモジュール５から発生する熱を利用して、より一層、内側筐体７２内部が所定の温度帯内で維持される。
【０１０２】
また、内側筐体７２は正面７２ｂに透明体７２ｃを備え、外側筐体７３は正面７３ｂに透明体７３ｃを備えており、カメラモジュール５は、透明体７２ｃ及び透明体７３ｃを介して外部を撮影可能となっている。尚、断熱性の高い部材を用いることにより、透明体７２ｃ及び透明体７３ｃを別体ではなく、１つの透明体で代用することも可能である。
【０１０３】
この第２の実施形態では、第１の実施形態の筐体２１が互いに離間して配される外側筐体７３とその内部に配される内側筐体７２からなり、内側筐体７２は、内部にバッテリ６及びカメラモジュール５が設置されることにより、外側筐体７３と内側筐体７２との間に外気からの断熱効果を有する空気層Ａ１が形成され、カメラモジュール５から発生する熱を利用して内側筐体７２の内部が空気層Ａ２となって、２つの空気層による断熱が可能となり、より一層、内側筐体７２の内部が所定の温度帯内で維持される。
【０１０４】
即ち、これにより、外側筐体７３と内側筐体７２との間で外気からの断熱効果を有する空気層Ａ１が形成され、さらに、内側筐体７２の内部が、空気層Ａ２となって、２つの空気層により、より断熱効果が得られるとともに、カメラモジュール５から発生する熱により対流が内側筐体７２の内部で生じ、バッテリ６の周辺の空気と混合していくことにより、バッテリ６の動作温度帯が維持される。
【０１０５】
また、内側筐体７２においては、第１の実施形態と同様に、支持部１６を介してバッテリ６が配されており、支持部としての角度調整機構１３を介してカメラモジュール５が配されている例を説明したが、内側筐体７２の底面７２ａにバッテリ６及びカメラモジュール５を直に配置することも可能である。外部筐体７３と内部筐体７２との間で空気層Ａ１が形成されているためである。
【０１０６】
以上、本発明の第２の実施形態によれば、第１の実施形態で奏した効果の他に、さらに筐体７１は、互いに離間して配される外側筐体７３とその内部に配される内側筐体７２からなり、内側筐体７２は、内部にバッテリ６及びカメラモジュール５が設置され、外側筐体７３と内側筐体７２との間に外気からの断熱効果を有する空気層Ａ１が形成されるため、カメラモジュール５から発生する熱を利用して内側筐体７２内部が所定の温度帯内で維持される。
【０１０７】
さらに、本発明の第２の実施形態によれば、バッテリ６及びカメラモジュール５は、内側筐体７２の板面から離間して設置されるため空気層Ａ２が形成され、カメラモジュール５から発生する熱を利用して、より一層、内側筐体７２内部が所定の温度帯内で維持される。
【０１０８】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１０９】
１          独立電源型カメラ（カメラ）
２          本体部
３          太陽電池モジュール
５          カメラモジュール
６          バッテリ
９          架台
１２        レンズ部
１３        角度調整機構（断熱部材）
１６        支持部（断熱部材）
２１        筐体
２２        蓋部
２２ａ      孔部
２３        筐体基部
２５        底面
２６        上面
２７        側壁
２８        正面
２８ａ      突設部
２８ｂ      透明体
２８ｃ      フィルムアンテナ
２９        背面
２９ａ      ロック機構
３１        第１の太陽電池モジュール部
３２        第２の太陽電池モジュール部
３３        第３の太陽電池モジュール部
３５        蝶番部
３６        ケーブル
３７        開閉規制部
３８        スペーサ
７１        筐体
７２        内側筐体
７２ａ      底面
７２ｂ      正面
７２ｃ      透明体
７３        外側筐体
７３ａ      底面
７３ｂ      正面
７３ｃ      透明体
７３ｄ      支持部
１０１      従来の独立電源型カメラ
１０３      太陽電池モジュール
１０５          カメラモジュール
１０６          バッテリを内蔵した本体部
１０７          支柱
Ａ，Ａ１，Ａ２  空気層
【図１】
2020134568.tif 000003
【図２】
2020134568.tif 000004
【図３】
2020134568.tif 000005
【図４】
2020134568.tif 000006
【図５】
2020134568.tif 000007
【図６】
2020134568.tif 000008
【図７】
2020134568.tif 000009
【図８】
2020134568.tif 000010